(57)【要約】【課題】高耐熱性の熱媒体組成物を提供すること。【解決手段】本発明の熱媒体組成物は、ビフェニル（Ａ）およびジフェニレンオキサイド（Ｂ）、ならびにナフタレン、フェナントレン、アントラセン、ｏ−トリフェニル、ｍ−トリフェニル、ｐ−トリフェニルの６成分から選ばれた少なくとも１以上の芳香族化合物（Ｃ）を含み、前記ビフェニル（Ａ）を１５〜５０質量％、前記ジフェニレンオキサイド（Ｂ）を１０〜４０質量％、前記芳香族化合物（Ｃ）を２０〜７５質量％の割合で含むとともに、ジフェニルエーテルを含まないことを特徴とする。【選択図】なし【特許請求の範囲】
【請求項１】
ビフェニル（Ａ）およびジフェニレンオキサイド（Ｂ）を少なくとも含む熱媒体組成物であって、
ナフタレン、フェナントレン、アントラセン、ｏ−トリフェニル、ｍ−トリフェニル、ｐ−トリフェニルの６成分から選ばれた少なくとも１以上の芳香族化合物（Ｃ）をさらに含み、
前記ビフェニル（Ａ）を１５〜５０質量％、前記ジフェニレンオキサイド（Ｂ）を１０〜４０質量％、前記芳香族化合物（Ｃ）を２０〜７５質量％の割合で含むとともに、ジフェニルエーテルを含まないことを特徴とする熱媒体組成物。
【請求項２】
前記ビフェニル（Ａ）を１５〜４０質量％、前記ジフェニレンオキサイド（Ｂ）を１０〜４０質量％および前記芳香族化合物（Ｃ）を２０〜７５質量％の割合で含むことを特徴とする請求項１に記載の熱媒体組成物。
【請求項３】
前記ビフェニル（Ａ）を２０〜４０質量％、前記ジフェニレンオキサイド（Ｂ）を１０〜４０質量％およびナフタレンおよび／またはフェナントレンから選択される芳香族化合物（Ｃ）を２０〜７０質量％の割合で含むことを特徴とする請求項１に記載の熱媒体組成物。
【請求項４】
太陽熱発電に使用されることを特徴とする請求項１〜３のいずれか一つに記載の熱媒体組成物。
【発明の詳細な説明】
【技術分野】
【０００１】
本発明は、熱媒体組成物に関するものである。
【背景技術】
【０００２】
熱媒体は、高温発熱反応の除熱用や蓄熱体、太陽熱発電などの用途において広く使用され、常温から高温の広い温度領域で安定性があることが望まれている。このような熱媒体として、従来、芳香族炭化水素系熱媒体組成物、例えばビフェニルおよびジフェニルエーテルを含む熱媒体組成物が開示されている（例えば、特許文献１参照）。
【０００３】
また、高温での安定性に優れる熱媒体として、ジフェニルエーテルにジフェニレンオキサイドを加えた組成物が提案されている（例えば、特許文献２参照）。特許文献２では、ジフェニレンオキサイドの安定化作用は、ジフェニルエーテルにジフェニルやナフタレン等を加えた共融混合物にも適用できることが記載されている。
【０００４】
さらに、フェニル基を２〜５個有するアリール化合物の混合物からなる熱媒体、例えば、ビフェニル、ジフェニルエーテル、ｏ−ターフェニル、およびｍ−ターフェニル等の四成分混合物が、凝固点降下により低温でのポンプ搬送性に優れることが開示されている（例えば、特許文献３参照）。また、ジフェニルエーテル、ベンゾフェノン、ならびに、ジベンゾフランおよびナフタレンからなる群から選択される少なくとも１成分を所定の割合で含む熱媒体組成物が、凝固点降下によりメンテナンスや作業等を軽減できる旨開示されている（例えば、特許文献４参照）。
【０００５】
さらにまた、ビフェニル、ジフェニルエーテルおよびジフェニレンオキサイドからなる熱媒体組成物が、耐熱性に優れるとともに、凝固点降下により取り扱い性も容易である旨開示されている（例えば、特許文献５参照）。特許文献５では、該熱媒体組成物にはフェナントレンやメチルナフタレンが少量含まれていてもよいことが記載されている。
【先行技術文献】
【特許文献】
【０００６】
【特許文献１】米国特許第１８８２８０９号明細書
【特許文献２】米国特許第１８７４２５６号明細書
【特許文献３】米国特許第Ｈ１３９３号公報
【特許文献４】特開平０１−２６１４９０号公報
【特許文献５】特開平０５−００９４６５号公報
【発明の概要】
【発明が解決しようとする課題】
【０００７】
近年、太陽熱発電等の用途で、発電効率向上のため、従来使用される温度より高温領域で使用可能な熱媒油の開発ニーズがより高まっているが、特許文献１〜５に記載の芳香族化合物を主成分とする熱媒体組成物は、４００℃未満では十分な耐熱性を示すものの、４００℃を超える温度での使用を目的としたものではなく、実際、４００℃付近で使用した場合、熱安定性が十分でないため、より高温領域における熱媒体組成物としての使用は困難であった。
【０００８】
本発明は、上記に鑑みてなされたものであって、耐熱性に優れる熱媒体組成物を提供することである。
【課題を解決するための手段】
【０００９】
本発明者らは、熱媒体組成物を４００℃付近で連続使用した場合、熱媒体組成物中の成分の劣化とともに分解フェノールの発生が金属腐食を誘発し、熱媒体組成物の安定的な長期使用を制限していることに着目し、分解フェノール発生の大きな原因が熱媒体組成物中に配合されるジフェニルエーテルであることを見出した。また、ビフェニル及びジフェニレンオキサイドに特定の芳香族化合物を所定の割合で配合した組成物が、耐熱性が向上し、分解フェノールが生成しにくいとの知見を得て、本発明を完成するに至った。
【００１０】
すなわち本発明の熱媒体組成物は、ビフェニル（Ａ）およびジフェニレンオキサイド（Ｂ）を少なくとも含む熱媒体組成物であって、ナフタレン、フェナントレン、アントラセン、ｏ−トリフェニル、ｍ−トリフェニル、ｐ−トリフェニルの６成分から選ばれた少なくとも１以上の芳香族化合物（Ｃ）をさらに含み、前記ビフェニル（Ａ）を１５〜５０質量％、前記ジフェニレンオキサイド（Ｂ）を１０〜４０質量％、前記芳香族化合物（Ｃ）を２０〜７５質量％の割合で含むとともに、ジフェニルエーテルを含まないことを特徴とする。
【００１１】
また、本発明の熱媒体組成物は、上記発明において、前記ビフェニル（Ａ）を１５〜４０質量％、前記ジフェニレンオキサイド（Ｂ）を１０〜４０質量％および前記芳香族化合物（Ｃ）を２０〜７５質量％の割合で含むことを特徴とする。
【００１２】
また、本発明の熱媒体組成物は、上記発明において、前記ビフェニル（Ａ）を２０〜４０質量％、前記ジフェニレンオキサイド（Ｂ）を１０〜４０質量％およびナフタレンおよび／またはフェナントレンから選択される芳香族化合物（Ｃ）を２０〜７０質量％の割合で含むことを特徴とする。
【００１３】
また、本発明の熱媒体組成物は、上記発明において、太陽熱発電に使用されることを特徴とする。
【発明の効果】
【００１４】
本発明の熱媒体組成物は４００℃以上の高温下で熱安定性を損なうことなく、且つ分解フェノールを生成しないため、長期間の連続使用が可能であり、かつ、機器を腐食する可能性も小さい。このように有機系熱媒体では最高の耐熱温度を示すことから高温発熱反応の除熱用や蓄熱体、太陽熱発電熱媒体などに好適に使用することができる。
【発明を実施するための形態】
【００１５】
以下に本発明の好適な実施の形態について詳細に説明する。なお、下記で説明する実施の形態により本発明が限定されるものではない。
【００１６】
本発明の熱媒体組成物は、ビフェニル（Ａ）およびジフェニレンオキサイド（Ｂ）を少なくとも含み、ナフタレン、フェナントレン、アントラセン、ｏ−トリフェニル、ｍ−トリフェニル、ｐ−トリフェニルの６成分から選ばれた少なくとも１以上の芳香族化合物（Ｃ）をさらに含むとともに、ジフェニルエーテルを含まない熱媒体組成物である。
【００１７】
本発明の熱媒体油組成物の原料のうち、ジフェニレンオキサイド（Ｂ）、ならびに芳香族化合物（Ｃ）であるナフタレン、フェナントレン、およびアントラセンは、コールタールなどに含まれ、これらの融点はそれぞれ８３℃、８２℃、１００℃、２１８℃と高く常温では固体である。また、ビフェニル（Ａ）、および芳香族化合物（Ｃ）であるトリフェニルは、ベンゼン同士を反応させることで得られる。トリフェニルは３つの異性体、ｏ−トリフェニル、ｍ−トリフェニル、ｐ−トリフェニルを含むが、ビフェニル（ｍ．ｐ．６９℃）と同様に全て常温では固体（ｍ．ｐ．５６℃、８４℃、２１２℃）であり、いずれの化合物も単独では熱媒体として不適当である。
【００１８】
本発明者らは、ビフェニル（Ａ）とジフェニレンオキサイド（Ｂ）に、ナフタレン、フェナントレン、アントラセン、ｏ−トリフェニル、ｍ−トリフェニルおよびｐ−トリフェニルの６成分から選ばれた少なくとも１以上の芳香族化合物（Ｃ）を配合し、かつジフェニルエーテルを含まない組成物とすることで、システムで使用可能な程度に組成物の凝固点を降下でき、かつ、高温、例えば４００℃程度においても腐食性の分解物の生成を抑制できることを見出した。
【００１９】
本発明の熱媒体組成物は、ビフェニル（Ａ）を１５〜５０質量％、好ましくは２０〜４５質量％、より好ましくは２５〜４０質量％含む。ビフェニル（Ａ）の含有量が１５質量％より少ないと、他成分の配合割合が増加して結果的に凝固しやすくなり、５０質量％より多いと、ビフェニルの配合割合が増加して同様に凝固しやすくなる。
【００２０】
本発明の熱媒体組成物は、ジフェニレンオキサイド（Ｂ）を１０〜４０質量％、好ましくは１０〜３５質量％、より好ましくは１５〜３０質量％含む。ジフェニレンオキサイド（Ｂ）の含有量が１０質量％より少ないと、他成分の配合割合が増加して結果的に凝固しやすくなり、４０質量％より多いと、ジフェニレンオキサイドの配合割合が増加して同様に凝固しやすくなる。
【００２１】
本発明の熱媒体組成物は、ナフタレン、フェナントレン、アントラセン、ｏ−トリフェニル、ｍ−トリフェニルおよびｐ−トリフェニルの６成分から選ばれた少なくとも１以上の芳香族化合物（Ｃ）を２０〜７５重量％、好ましくは２０〜６０質量％含む。ナフタレン、フェナントレン、アントラセン、ｏ−トリフェニル、ｍ−トリフェニルおよびｐ−トリフェニルの６成分から選ばれた少なくとも１以上の芳香族化合物（Ｃ）の含有量が２０質量％より少ないと他成分の配合割合が増加して結果的に凝固しやすくなり、７５質量％より多いと芳香族化合物（Ｃ）の配合割合が増加して同様に凝固しやすくなる。
【００２２】
本発明の熱媒体組成物は、好ましくは、芳香族化合物（Ｃ）としてナフタレンおよび／またはフェナントレンを２０〜６０質量％含み、より好ましくは２０〜５５質量％含む。芳香族化合物（Ｃ）であるナフタレンおよび／またはフェナントレンの含有量が２０質量％より少ないと、他成分の配合割合が増加して結果的に凝固しやすくなり、６０質量％より多いとナフタレンおよびまたはフェナントレンの配合割合が増加して同様に凝固しやすくなる。
【００２３】
また、本発明の熱媒体組成物は、ジフェニルエーテルを含まない。本明細書において、ジフェニルエーテルを含まないとは、本発明の熱媒体組成物中のジフェニルエーテルの含有量が５質量％以下であることを意味する。熱媒体組成物中のジフェジルエーテルの含有量は略零であることが好ましい。ジフェジルエーテルの含有量が５質量％を超えると、分解フェノールの生成量が増加する傾向にあるためである。
【００２４】
本発明の熱媒体組成物の成分である、ビフェニル（Ａ）、ジフェニレンオキサイド（Ｂ）、およびナフタレン、フェナントレン、アントラセン、ｏ−トリフェニル、ｍ−トリフェニル、ｐ−トリフェニルの６成分から選ばれた少なくとも１以上の芳香族化合物（Ｃ）の合計の含有量は、８０．０〜９９．９質量％、好ましくは９０〜９９．９質量％、より好ましくは９５〜９９．９質量％である。合計量が８０.０質量％以下であると組成物の凝固点が高くなり取り扱いが困難となったり、耐熱性が低下する可能性がある。
【００２５】
本発明の熱媒体組成物において、製造法には特に制限はないが、ビフェニル、およびトリフェニルは、一般にパラジウム触媒によりベンゼンを原料として製造される。ベンゼンを用いてビフェニル、およびトリフェニルを製造する場合、ビフェニル、およびトリフェニルに副生するクォーターフェニル、ポリフェニル等が微量含まれても差し支えない。ジフェニレンオキサイド、ナフタレン、フェントレン、およびアントラセンは、コールタールなどに含まれ、蒸留により得ることができる。ジフェニレンオキサイド、ナフタレン、フェントレン、およびアントラセンには、メチルナフタレン、ジメチルナフタレン、フルオレン、メチルナフタレン、メチルフェナントレン、ジベンゾチオフェン、アセナフテンやカルバゾール、フェニルジベンゾフラン等が微量含まれても差し支えない。
【００２６】
本発明の熱媒体組成物は、４００℃以上の高温下で熱安定性を損なうことなく、且つ分解フェノールを生成せず連続使用が可能である。熱媒体組成物の耐熱性は、例えば４３０℃の熱安定性試験で評価することができる。熱媒体組成物の熱安定性試験は、熱媒体組成物を密閉可能な容器内に投入し、容器内を窒素で封入して容器内圧力を２ＭＰａ（室温）に調整した後、熱媒体組成物を投入した容器を４３０℃で９６時間保持する。熱媒体組成物の耐熱性は、熱媒体組成物の分解率、生成した分解フェノール量、試験後の容器内の圧力上昇で評価する。
【００２７】
本発明の熱媒体組成物において、熱安定性試験による分解率は、５．０％以下であることが好ましい。熱媒体組成物の分解率は、ガスクロマトグラフィー質量分析で測定することができる。以下の方法により測定した分解率により、熱安定性試験後に生成した液体成分の割合を評価することができる。分析条件の一例を以下に示す。
装置：ＨＰ−６８９０
カラム：Ｊ＆Ｗ  ＤＢ−１（３０ｍ×０．２５ｍｍφ）
キャリアガス：ヘリウム
注入量：０．２μＬ
分解率は以下の式により求めた。
分解率（%）＝（試験後に発生したピーク面積の総和）／（全ピーク面積の総和）×１００
【００２８】
また、生成した分解フェノール量は、０．２０％以下であることが好ましい。分解フェノール量は、以下の式により求めた。
分解フェノール量（％）＝（試験後に発生した分解フェノールのピーク面積）／（全ピーク面積の総和）×１００
【００２９】
本発明の熱媒体組成物において、熱安定性試験後の容器内の圧力上昇は、０．１ＭＰa以下であることが好ましい。圧力上昇は、試験後の容器を室温に冷却した後の試験前の圧力との差分値である。圧力上昇により、熱安定性試験後に分解生成した気体成分の割合を評価することができる。
【００３０】
本発明の熱媒体組成物の融点は、好ましくは３０℃以下であり、より好ましくは２５℃以下である。２５℃以下であることが好ましいが、２５℃を超える場合であっても、例えば蓄熱槽のような補助保温システムを併用すれば問題なく使用することができる。
【００３１】
本発明の熱媒体組成物は、有機系熱媒体としては最高の耐熱温度を示すことから高温発熱反応の除熱用や蓄熱体、太陽熱発電、例えば集光式の太陽熱発電用の熱媒体などに有用である。本発明の熱媒体組成物は、例えば、半円筒状の集光鏡を用いて、鏡の前に設置されたパイプに太陽光を集中させ、パイプ内を流れる熱媒体を加熱し、加熱された熱媒体により蒸気を製造し発電するパラボリック・トラフ方式の太陽熱発電の熱媒体として使用することができる。また、平面鏡を用いて、中央部に設置されたタワーにある集熱器に太陽光を集中させることで集光し、その熱で発電するタワー式太陽熱発電でも使用可能である。なお、本発明の熱媒体組成物の沸点は２２０〜３００℃程度であるので、沸点以上の高温で使用する場合は加圧して使用すればよい。
【実施例】
【００３２】
以下に実施例により本発明の実施態様を例示するが、本発明はそれらの実施例に限定されるものではない。
【００３３】
以下の実施例において、以下の化合物を使用した。
ビフェニル（ＢＰ、東京化成工業社製  純度９９．５％品）
ジフェニレンオキサイド（ＤＰＮＯ、東京化成工業社製  純度９７％品）
ナフタレン(ＮＡ、東京化成工業社製  純度９８％品)
アントラセン（ＡＮ、東京化成工業社製  純度９７％品）
ｏ‐トリフェニル（ｏ−ＴＥＲ、東京化成工業社製  純度９９％品）
ｍ‐トリフェニル（ｍ−ＴＥＲ、東京化成工業社製  純度９８％品）
ｐ‐トリフェニル（ｐ‐ＴＥＲ）東京化成工業社製  純度９９％品）
フェナントレン（ＰＨ、アルドリッチ社製  純度９８％品）
ジフェニルエーテル（ＤＰＯ、東京化成工業社製  純度９９％品）
ｏ‐ヒドロキシビフェニル（ＯＰＰ、和光純薬社製  純度９９％品）
１，１−ジフェニルエタン（ＤＰＥ、ＪＸ日鉱日石エネルギー社製）
ベンジルトルエン異性体混合物（ＢＴ、試作品：ｏ−体４質量％、ｍ−体５９質量％、ｐ−体３７質量％）
ジベンジルトルエン（ＤＢＴ、総研テクニクス社製  ＮｅｏＳＫ-ＯＩＬ  １４００）
フェニルキシリルエタン（ＰＸＥ、ＪＸ日鉱日石エネルギー社製）
３−エチルビフェニル(ＥＢＰ、東京化成工業社製  純度９８％品)
【００３４】
（実施例１）
ビフェニル、ジフェニレンオキサイド、ナフタレン、アントラセン、ｏ‐トリフェニル、ｍ‐トリフェニル、ｐ−トリフェニルを、下記表１の割合（質量％）となるように配合して熱媒体組成物１を調製した。内径１４ｍｍ、幅６５ｍｍ、高さ１５８ｍｍのＵ字配管に熱媒体組成物を２０ｇ詰め、Ｕ字配管内に窒素を封入して圧力を２ＭＰａに調整した後、４３０℃で９６時間熱安定性試験を行った。試験前の熱媒体組成物の２５℃、３０℃、３５℃での外観を目視で判別し（○：液状、×：固形分あり）、試験後の熱媒体組成物についてガスクロマトグラフィー質量分析を行い、分解率（％）、分解フェノール量（％）および圧力上昇を求めた。結果を表１に示す。
【００３５】
（実施例２）
ビフェニル、ジフェニレンオキサイド、ナフタレン、フェナントレンを、下記表１の割合（質量％）となるように配合して熱媒体組成物２を調製した。調製した熱媒体組成物２を用いた以外、実施例１と同様に試験を行なった。結果を同じく表１に示す。
【００３６】
（実施例３）
ビフェニル、ジフェニレンオキサイド、ナフタレンを、下記表１の割合（質量％）となるように配合して熱媒体組成物３を調製した。調製した熱媒体組成物３を用いた以外、実施例１と同様に実施した。結果を同じく表１に示す。
【００３７】
（実施例４）
ビフェニル、ジフェニレンオキサイド、ナフタレン、フェナントレンを、下記表１の割合（質量％）となるように配合して熱媒体組成物４を調製した。調整した熱媒体組成物４を用いた以外、実施例１と同様に実施した。結果を同じく表１に示す。
【００３８】
（実施例５）
ビフェニル、ジフェニレンオキサイド、ナフタレン、フェナントレンを、下記表１の割合（質量％）となるように配合して熱媒体組成物５を調製した。調製した熱媒体組成物５を用いた以外、実施例１と同様に実施した。結果を同じく表１に示す。
【００３９】
（実施例６）
ビフェニル、ジフェニレンオキサイド、ナフタレン、フェナントレン、ジフェニルエーテルを、下記表１の割合（質量％）となるように配合して熱媒体組成物６を調製した。調整した熱媒体組成物６を用いた以外、実施例1と同様に実施した。結果を同じく表１に示す。ジフェニルエーテルを５質量％含む熱媒体組成物６は、わずかに分解フェノールが生成するものの（０．０２％）、十分な熱安定性を示す。
【００４０】
（実施例７）
ビフェニル、ジフェニレンオキサイド、アントラセン、ｏ‐トリフェニル、ｍ‐トリフェニル、フェナントレンを、下記表１の割合（質量％）となるように配合して熱媒体組成物７を調製した。調製した熱媒体組成物７を用いた以外、実施例１と同様に実施した。結果を同じく表１に示す。
【００４１】
（比較例１）
米国特許第１８８２８０９号公報に開示される処方、すなわち、ビフェニル、ジフェニルエーテルを、下記表１の割合（質量％）となるように配合して熱媒体組成物を調製した。調整した熱媒体組成物を用いた以外、実施例1と同様に実施した。結果を同じく表１に示す。分解率が６．４％となり、実施例のどれよりも熱安定性が低く、分解フェノールも０．３４質量％生成した。
【００４２】
（比較例２）
特開平１−２６１４９０号公報に開示される処方、すなわち、ビフェニル、ｏ‐トリフェニル、ｍ‐トリフェニル、ジフェニルエーテルを下記表１の割合（質量％）となるように配合して熱媒体組成物を調製した。調整した熱媒体組成物を用いた以外、実施例１と同様に実施した。結果を同じく表１に示す。分解率が５．３％となり、実施例のどれよりも熱安定性が低く、分解フェノールも０．２７質量％生成した。
【００４３】
（比較例３）
ビフェニル、ジフェニレンオキサイド、ナフタレンを、下記表１の割合（質量％）となるように配合して熱媒体組成物を調製した。調整した熱媒体組成物を用いた以外、実施例１と同様に実施した。結果を同じく表１に示す。ビフェニルの割合が５０質量％より多い比較例３の熱媒体組成物は、３０℃で液状ではないことが確認された。
【００４４】
（比較例４）
ビフェニル、ジフェニレンオキサイド、ナフタレンを、下記表１の割合（質量％）となるように配合して熱媒体組成物を調製した。調整した熱媒体組成物を用いた以外、実施例１と同様に実施した。結果を同じく表１に示す。ジフェニレンオキサイドの割合が４０質量％より多い比較例４の熱媒体組成物は、３０℃で液状ではないことが確認された。
【００４５】
（比較例５）
ビフェニル、ジフェニレンオキサイド、ナフタレン、フェナントレンを、下記表１の割合（質量％）となるように配合して熱媒体組成物を調製した。調整した熱媒体組成物を用いた以外、実施例１と同様に実施した。結果を同じく表１に示す。芳香族化合物（Ｃ）、すなわちナフタレンおよびフェナントレンの合計量が７５質量％より多い比較例５の熱媒体組成物は、３０℃で液状ではないことが確認された。
【００４６】
（比較例６）
ビフェニル、フェナントレン、ｏ―ヒドロキシビフェニルを、下記表１の割合（質量％）となるように配合して熱媒体組成物を調製した。調整した熱媒体組成物を用いた以外、実施例１と同様に実施した。結果を同じく表１に示す。熱分解試験後の圧力上昇が実施例のどれよりも高いことがわかった。
【００４７】
（比較例７）
１，１−ジフェニルエタンを用いて、４００℃の試験温度で実施した以外、実施例１と同様に実施した。結果を同じく表１に示す。熱分解試験後の圧力上昇が実施例のどれよりも高いことがわかった。
【００４８】
（比較例８）
特開平１−２００５１０号の参考製造例の追試において得られたベンジルトルエン異性体混合物を用いて、４００℃の試験温度で実施した以外、実施例１と同様に実施した。結果を同じく表１に示す。熱分解試験後の圧力上昇が実施例のどれよりも高いことがわかった。
【００４９】
（比較例９）
ジベンジルトルエンを用いて、４００℃の試験温度で実施した以外、実施例１と同様に実施した。結果を同じく表１に示す。熱分解試験後の圧力上昇が実施例のどれよりも高いことがわかった。
【００５０】
（比較例１０）
フェニルキシリルエタンを用いて、３８０℃の試験温度で実施した以外、実施例１と同様に実施した。結果を同じく表１に示す。熱分解試験後の圧力上昇が実施例のどれよりも高いことがわかった。
【００５１】
（比較例１１）
３−エチルビフェニルを用いて、４００℃の試験温度で実施した以外、実施例１と同様に実施した。結果を同じく表１に示す。熱分解試験後の圧力上昇が実施例のどれよりも高いことがわかった。
【００５２】
（比較例１２）
米国特許第１８８２８０９号公報に開示される処方、すなわち、ビフェニル、ジフェニルエーテルを、下記表１の割合（質量％）となるように配合して熱媒体組成物を調製した。調整した熱媒体組成物を用いた以外、実施例1と同様に実施した。結果を同じく表１に示す。分解率が７．０％となり、実施例のどれよりも熱安定性が低く、分解フェノールも０．３７質量％生成した。
【００５３】
（比較例１３）
特開平０５−００９４６５号公報に開示される処方、すなわち、ビフェニル、ジフェニレンオキサイド、ジフェニルエーテルを、下記表１の割合（質量％）となるように配合して熱媒体組成物を調製した。調整した熱媒体組成物を用いた以外、実施例１と同様に実施した。結果を同じく表１に示す。分解率が６．８％となり、実施例のどれよりも熱安定性が低く、分解フェノールも０．３３質量％生成した。
【００５４】
（比較例１４）
特開平１−２６１４９０号公報に開示される処方、すなわち、ビフェニル、ｏ‐トリフェニル、ｍ‐トリフェニル、ジフェニルエーテルを、下記表１の割合（質量％）となるように配合して熱媒体組成物を調製した。調整した熱媒体組成物を用いた以外、実施例１と同様に実施した。結果を同じく表１に示す。分解率が３．９％となり、実施例のどれよりも熱安定性が低く、分解フェノールも０．２０質量％生成した。
【００５５】
（比較例１５）
ビフェニル、ジフェニレンオキサイドを、下記表１の割合（質量％）となるように配合して熱媒体組成物を調製した。調整した熱媒体組成物を用いた以外、実施例１と同様に実施した。結果を同じく表１に示す。比較例１５の熱媒体組成物は、３０℃で液状ではないことが確認された。
【００５６】
（比較例１６）
ジフェニレンオキサイド、ナフタレン、フェナントレンを、下記表１の割合（質量％）となるように配合して熱媒体組成物を調製した。調整した熱媒体組成物を用いた以外、実施例１と同様に実施した。結果を同じく表１に示す。比較例１６の熱媒体組成物は、３０℃で液状ではないことが確認された。
【００５７】
【表１】
2014125627.tif 000002
【産業上の利用可能性】
【００５８】
本発明の熱媒体組成物は、より高温下での連続使用ができるため、高温発熱反応の除熱用や蓄熱体、太陽熱発電などに適している。本発明の熱媒体組成物を前記分野に使用することにより、長寿命化や発電効率の向上が可能になり、ランニングコストを低下できる。